(57)【要約】【課題】伴侶動物の健康状態の測定を動物病院はもとよりペットショップや家庭においても高い安定性をもって簡便に行えるようにすること。【解決手段】入力された伴侶動物の膝から踵までの長さＰＣＬと体重Ｗから、（体重Ｗ／長さＰＣＬ）なる演算を行ってボティマスインデックスＢＭＩを算出し、予め設定されている健康な伴侶動物のボティマスインデックスＢＭＩと算出されたボティマスインデックスＢＭＩとを比較し、両ボティマスインデックスＢＭＩの差に基づいて健康度を算出するし、算出された健康度を示す情報を出力する。【選択図】図２
2019088220.tif 000002
【特許請求の範囲】
【請求項１】
伴侶動物の健康度を測定する方法であって、
測定対象の伴侶動物の膝から踵までの長さ及び体重から、（体重／長さ）なる演算を行ってボティマスインデックスを算出するステップと、
予め設定されている健康な伴侶動物のボティマスインデックスと算出された前記ボティマスインデックスとを比較し、両ボティマスインデックスの差に基づいて健康度を算出するステップと、
算出された前記健康度を示す情報を出力するステップとを有する伴侶動物の健康度測定方法。
【請求項２】
前記伴侶動物が猫であり、前記長さはメートル単位で、前記体重はキログラム単位であり、前記健康な伴侶動物のボティマスインデックスは２３〜２８である請求項１に記載の伴侶動物の健康度測定方法。
【請求項３】
コンピュータを用いて伴侶動物の健康度を測定するプログラムであって、
前記コンピュータに、
入力された測定対象の伴侶動物の膝から踵までの長さ及び体重から、（体重／長さ）なる演算を行ってボティマスインデックスを算出し、
予め設定されている健康な伴侶動物のボティマスインデックスと算出された前記ボティマスインデックスとを比較し、両ボティマスインデックスの差に基づいて決められた健康度を算出し、算出された前記健康度を示す情報を出力することを実行させるプログラム。
【請求項４】
伴侶動物の健康度を測定する装置であって、
測定対象の伴侶動物の膝から踵までの長さ及び体重を入力する体尺値入力部と、
入力された前記長さ及び前記体重から、（体重／長さ）なる演算を行い、ボティマスインデックスを算出するボティマスインデックス算出部と、
予め設定されている健康な伴侶動物のボティマスインデックスと算出された前記ボティマスインデックスとを比較し、両ボティマスインデックスの差に基づいて決められた健康度を算出する健康度算出部と、
前記健康度算出部によって算出された前記健康度を示す情報を出力する健康度出力部とを有する伴侶動物の健康度測定装置。
【発明の詳細な説明】
【技術分野】
【０００１】
本発明は、伴侶動物（愛玩動物）の健康度測定方法、コンピュータを用いて伴侶動物の健康度を測定するプログラム及び伴侶動物の健康度測定装置に関する。
【背景技術】
【０００２】
猫や犬のような伴侶動物の健康診断として、血液採取を行い、血液生化学検査によって血漿遊離脂肪酸（ＮＥＦＡ）や血漿トリグリセリド（ＴＧ）等の濃度を測定し、これらの濃度に基づいてメタボリックシンドローム等による疾病を、判定したり、予見したりすることは、従来より動物病院等において広く行われている。
【０００３】
伴侶動物の肥満度は、伴侶動物のメタボリックシンドロームを含む健康度の目安になることは知られている。伴侶動物の肥満の診断（判定）方法として、獣医師による視診及び触診によるボティコンディションスコア（ＢＣＳ）によるものが知られている。
【０００４】
伴侶動物の体重状態を管理する方法として、伴侶動物の実際の体脂肪率または除脂肪体重を測定し、身体データを独立変数として実際の体脂肪率または除脂肪体重を従属変数として用いる回帰分析を適用して導出された数式に基づいて伴侶動物について予測される体脂肪率または除脂肪体重を計算し、予測された体脂肪率または除脂肪体重に基づいて、伴侶動物に有効な減量管理データに基づく減量管理計画を出力することが提案されている（例えば、特許文献１）。
【先行技術文献】
【特許文献】
【０００５】
【特許文献１】特許第５６６１８０１号公報
【発明の概要】
【発明が解決しようとする課題】
【０００６】
血液生化学検査によるものは、疾病の予見を定量的に行うことが可能であるが、検査の都度、血液採取が必要であり、ペットショップや家庭において簡便に行うことが難しい。
【０００７】
ＢＣＳによる肥満の診断は、獣医師に依存する度合いが大きく、安定性に欠ける。
【０００８】
身体データから体脂肪率を推定する方法は、体重、頭蓋長、頭部周囲長、後肢中央足蹠長、踵骨幅、後肢長、骨盤周囲長、前部体高等、多くの身体データを必要とし、身体データの測定箇所が多いために実用的でなく、伴侶動物の健康状態の管理を家庭において簡便に行うことが難しい。
【０００９】
本発明が解決しようとする課題は、伴侶動物の健康状態の測定を動物病院はもとよりペットショップや家庭においても高い安定性をもって簡便に行えるようにすることである。
【課題を解決するための手段】
【００１０】
本発明の一つの実施形態による伴侶動物の健康度測定方法は、伴侶動物の健康度を測定する方法であって、入力された測定対象の伴侶動物の膝から踵までの長さ及び体重から、（体重／長さ）なる演算を行ってボティマスインデックスを算出するステップと、予め設定されている健康な伴侶動物のボティマスインデックスと算出された前記ボティマスインデックスとを比較し、両ボティマスインデックスの差に基づいて健康度を算出するステップと、算出された前記健康度を示す情報を出力するステップとを有する。
【００１１】
この方法によれば、伴侶動物の健康状態の測定を動物病院はもとよりペットショップや家庭においても高い安定性をもって簡便に行うことができる。
【００１２】
上記伴侶動物の健康度測定方法において、前記伴侶動物が猫であり、前記長さはメートル単位で、前記体重はキログラム単位であり、前記健康な伴侶動物のボティマスインデックスは２４〜２８である。
【００１３】
この方法によれば、猫の健康状態の測定を的確に行うことができる。
【００１４】
本発明の一つの実施形態による伴侶動物の健康度を測定するプログラムは、コンピュータを用いて伴侶動物の健康度を測定するプログラムであって、前記コンピュータに、入力された測定対象の伴侶動物の膝から踵までの長さ及び体重から、（体重／長さ）なる演算を行ってボティマスインデックスを算出し、予め設定されている健康な伴侶動物のボティマスインデックスと算出された前記ボティマスインデックスとを比較し、両ボティマスインデックスの差に基づいて決められた健康度を算出し、算出された前記健康度を示す情報を出力することを実行させる。
【００１５】
このコンピュータが実行するプログラムによれば、伴侶動物の健康状態の測定を動物病院はもとよりペットショップや家庭においても高い安定性をもって簡便に行うことができる。
【００１６】
本発明の一つの実施形態による伴侶動物の健康度を測定する装置は、測定対象の伴侶動物の膝から踵までの長さ及び体重を入力する体尺値入力部と、入力された前記長さ及び前記体重から、（体重／長さ）なる演算を行い、ボティマスインデックスを算出するボティマスインデックス算出装置と、予め設定されている健康な伴侶動物のボティマスインデックスと算出された前記ボティマスインデックスとを比較し、両ボティマスインデックスの差に基づいて決められた健康度を算出する健康度算出部と、前記健康度算出部によって算出された前記健康度を示す情報を出力する健康度出力部とを有する。
【００１７】
この装置によれば、伴侶動物の健康状態の測定を動物病院はもとよりペットショップや家庭においても高い安定性をもって簡便に行うことができる。
【発明の効果】
【００１８】
本発明の一つの実施形態によれば、伴侶動物の健康状態の測定を動物病院はもとよりペットショップや家庭においても高い安定性をもって簡便に行うことができる。
【図面の簡単な説明】
【００１９】
【図１】本発明による伴侶動物の健康度測定装置の一つの実施形態を示すブロック線図
【図２】猫の骨格を示す説明図
【図３】本実施形態による伴侶動物の健康度測定方法を示すフローチャート
【図４】本実施形態による伴侶動物の健康度測定方法に従って健康な猫のボティマスインデックスを見出す試験により得られた猫の膝蓋骨から踵骨末端までの長さと体重との関係を示すグラフ
【発明を実施するための形態】
【００２０】
以下に、本発明による伴侶動物の健康度測定装置の一つの実施形態を、図１を参照して説明する。
【００２１】
本実施形態による健康度測定装置１０は、キーボードやタッチパネル等による体尺値入力部１２及び種別入力部１４と、マイクロコンピュータ、内蔵ストレージを含む情報処理部１６と、ディスプレイやプリンタ等による健康度出力部１８とを有する。健康度測定装置１０は、専用機、パーソナルコンピュータ、携帯端末機器、携帯電話機等であってよく、内蔵ストレージに書き込まれた健康度測定のプログラムをマイクロコンピュータによって実行する。
【００２２】
体尺値入力部１２は、測定対象の伴侶動物の膝から踵までの長さ、より詳細には、膝蓋骨から踵骨末端までの長さＰＣＬ（ｍ）及び同猫の体重Ｗ（ｋｇ）を入力する。この入力はオペレータによって行われる。図２は、伴侶動物が猫である場合の長さＰＣＬを示しており、膝蓋骨（Ａ点）から踵骨末端（Ｂ点）までの長さが長さＰＣＬである。長さＰＣＬは、物差し（定規）、メジャー等の長さを測る器具によって測ることができる。体重は体重計によって量ることができる。
【００２３】
種別入力部１４は、猫、犬等の測定対象の伴侶動物の種別を入力する。
【００２４】
情報処理部１６はボティマスインデックス算出部２０及び健康度算出部２２を含む。ボティマスインデックス算出部２０及び健康度算出部２２は、情報処理部１６のマイクロコンピュータがプログラムを実行することにより具現化されるものであってよい。
【００２５】
ボティマスインデックス算出部２０は、体尺値入力部１２によって入力された長さＰＣＬ及び体重Ｗから、（体重Ｗ／長さＰＣＬ）なる演算を行い、ボティマスインデックスＢＭＩを算出する。
【００２６】
伴侶動物のボティマスインデックスＢＭＩに長さＰＣＬを用いることは、長さＰＣＬが体重の影響を受け難く、体重の増加前後の相同性が高いと云う本願発明者の新たな見知に基づくものであり、長さＰＣＬが用いられたボティマスインデックスＢＭＩは肥満度を表すインデックスとして普遍性が高い好適な指数である。長さＰＣＬと同様に、体重の増加前後の相同性が高い体尺として、頭胴長ＨＢＬ（体軸の延長上に鼻をおいた状態での鼻先から仙尾椎関節までの長さ）がある。長さＰＣＬと頭胴長ＨＢＬとを比べると、長さＰＣＬは、頭胴長ＨＢＬに比して計測し易く、計測誤差、ばらつきが生じ難いと云う優位性がある。
【００２７】
健康度算出部２２は、予め設定されている健康な伴侶動物のボティマスインデックス（以下、健康ＢＭＩと云う）とボティマスインデックス算出部２０によって算出されたボティマスインデックス（以下、計測ＢＭＩと云う）とを比較し、両ボティマスインデックスの差に基づいて決められた健康度を算出し、算出された健康度を示す情報を健康度出力部１８に出力する。健康度は、メタボリックシンドロームを含む健康度の目安となる削痩度、肥満度で表される。
【００２８】
健康ＢＭＩは、健康である判断された伴侶動物群のボティマスインデックスの実数値より見出すことができる。健康である判断は、血液生化学検査によるＮＥＦＡ、ＴＧ等の濃度や獣医師等によるボティコンディションスコア（ＢＣＳ）によって行うことができる。健康ＢＭＩは、猫、犬等の伴侶動物の種別によって異なるものであり、伴侶動物の種別毎の固有のものである。
【００２９】
健康度算出部２２は、伴侶動物の種別毎の固有の健康ＢＭＩを定数として予め保有しており、種別入力部１４によって入力される伴侶動物の種別に対応する健康ＢＭＩをセットされる。伴侶動物が猫の場合、健康ＢＭＩは２３〜２８であってよい。
【００３０】
このことにより、伴侶動物が猫の場合には健康度算出部２２は、計測ＢＭＩが健康ＢＭＩの範囲に収まれば、つまり計測ＢＭＩが２３〜２８であれば、健康度が良好であること示す情報を健康度出力部１８に出力し、計測ＢＭＩが健康ＢＭＩの範囲を下回れば、つまり計測ＢＭＩが２３未満であれば、削痩・体重不足であると判定し、（２３−計測ＢＭＩ）の値が大きいほど、削痩・体重不足であることを定量的に示す情報を健康度出力部１８に出力し、計測ＢＭＩが健康ＢＭＩの範囲を上回れば、つまり計測ＢＭＩが２８を超えた値であれば、過体重・肥満であると判定し、（計測ＢＭＩ−２８）の値が大きいほど、過体重・肥満であることを定量的に示す情報を健康度出力部１８に出力する。
【００３１】
健康度出力部１８に表示される健康度や印刷される健康度は、文字列と画像との組み合わせてあってよく、例えば、健康度が良好である場合には、「健康」と画面表示し、削痩・体重不足である場合には、（２３−計測ＢＭＩ）の値に応じて、「削痩度１」、「削痩度２」、「削痩度３」或いは「軽削痩」、「重削痩」と画面表示し、過体重・肥満である場合には、（計測ＢＭＩ−２８）の値に応じて、「肥満度１」、「肥満度２」、「肥満度３」や「メタボリックシンドローム１」、「メタボリックシンドローム２」、「メタボリックシンドローム３」或いは「軽肥満」、「重肥満」と画面表示する。
【００３２】
これにより、伴侶動物の健康状態の測定が、測定対象の伴侶動物毎に、血液生化学検査やボティコンディションスコアを行うことなく、動物病院はもとよりペットショップや家庭においても高い安定性をもって簡便に行われ得るようになる。
【００３３】
健康度算出部２２によって算出される健康度は、伴侶動物の健康維持や健康改善のために、給餌プランに反映されればよく、ペットフードのパッケージ等に給餌に適した伴侶動物の健康度、例えば、「削痩度１」や「メタボリックシンドローム１」等が表示されていればよい。これにより、飼育者は伴侶動物の健康度に適合したペットフードを容易に選択できるようになる。
【００３４】
次に、本実施形態による伴侶動物の健康度測定方法を、図３のフローチャートを参照して説明する。
【００３５】
先ず、測定対象の伴侶動物の種別を入力し（ステップＳＴ１）、続いて膝蓋骨Ａから踵骨末端Ｂまでの長さＰＣＬ及び体重Ｗを入力する（ステップＳＴ２）。
【００３６】
次に、入力された長さＰＣＬと体重Ｗから、（体重／長さ）なる演算を行ってボティマスインデックスＢＭＩを算出する（ステップＳＴ３）。
【００３７】
次に、予め設定されている健康な伴侶動物のボティマスインデックスＢＭＩと算出されたボティマスインデックスＢＭＩとを比較し、両ボティマスインデックスＢＭＩの差に基づいて健康度を算出する（ステップＳＴ４）。
【００３８】
次に、算出された健康度を示す情報を出力する（ステップＳＴ５）。
【００３９】
このように、本実施形態による伴侶動物の健康度測定方法によれば、伴侶動物の健康状態の測定を高い安定性をもって簡便に行うことができる。
【００４０】
本実施形態の健康度測定方法は、コンピュータが実行可能なプログラムとして、ＣＤ−ＲＯＭ、メモリカード等の記録媒体に記録或いはインターネット等からダウンロードされるものであってよい。
【００４１】
本発明者は、本実施形態による健康度測定方法に従って、健康な猫のボティマスインデックスを見出す試験を下記の条件のもとに行った。
【００４２】
頭数：１５頭(１４２頭中ボディコンディション（ＢＣＳ）が３〜３．５、ネコボディマスインデックス（ｆＢＭＩ）が２４．０〜２７．０の猫)
年齢：１〜６歳(成猫のみ。子猫は含まない。)
品種：雑種８頭、ペルシャ３頭、メインクーン３頭、ロシアンブルー１頭
雌雄：オス９頭、メス６頭
去勢：未去勢５頭、去勢１０頭
健康評価：獣医師による診断によって健康と判断された猫
【００４３】
この試験によって得られた膝蓋骨Ａから踵骨末端Ｂまでの長さＰＣＬと体重Ｗとの関係が図４に示されている。
【００４４】
この試験の結果によれば、猫の健康上の理想体重を計算する式は下式により表される。
０．３２３７×ＰＣＬ（ｃｍ）−０．９７５３
寄与率Ｒ２＝０．８７１３
【００４５】
以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、健康ＢＭＩは、伴侶動物の種別毎だけでなく、猫種、犬種、雄雌、去勢の有無等毎に設定されてもよい。また、上記実施形態に示した構成要素は必ずしも全てが必須なものではなく、本発明の趣旨を逸脱しない限りにおいて適宜取捨選択することが可能である。
【符号の説明】
【００４６】
１０    ：健康度測定装置
１２    ：体尺値入力部
１４    ：種別入力部
１６    ：情報処理部
１８    ：健康度出力部
２０    ：ボティマスインデックス算出部
２２    ：健康度算出部
【図１】
2019088220.tif 000003
【図２】
2019088220.tif 000004
【図３】
2019088220.tif 000005
【図４】
2019088220.tif 000006